(57)【要約】通話やテキストメッセージなどの情報を受信装置（２１）に転送するように第１の無線装置（２０）をプログラムするための方法及びそれに関連する装置。本方法によれば、英数字コードが第１の無線装置（２０）に組み込まれる（ステップＳ３１０）。次いで、ユーザは、送信装置を用いてテキストメッセージを作成する（Ｓ３２０）。英数字コード及び受信装置（２１）のアドレスは、テキストメッセージに組み込まれる（ステップＳ３３０）。次いで、そのテキストメッセージが、送信装置（２２）から第１の無線装置（２０）に送信される（ステップＳ３４０）。第１の無線装置（２０）は英数字コードを認識し、その結果として、通話やメッセージなどの情報が受信装置（２１）のアドレスに転送されるように自身を再プログラムする（ステップＳ３５０）。
2007507917.tif 000002
【特許請求の範囲】
【請求項１】
情報を転送するように第１の無線装置をプログラムするための方法であって、
前記第１の無線装置に英数字コードを組み込むこと、
送信装置を用いてテキストメッセージを作成すること、
前記英数字コード及び受信装置のアドレスを前記テキストメッセージに組み込むこと、
前記送信装置から前記第１の無線装置に前記テキストメッセージを送信すること、
を備え、
前記第１の無線装置は、前記英数字コードを認識し、その結果として、前記受信装置のアドレスに情報を転送するように自身を再プログラムする、方法。
【請求項２】
請求項１記載の方法において、
前記テキストメッセージは、ＳＭＳメッセージ、ＥＭＳメッセージ及びＭＭＳメッセージよりなるグループから選択されたメッセージ形式である、方法。
【請求項３】
請求項１記載の方法において、
前記テキストメッセージは、転送パケット（ＴＰＤＵ）の一部である、方法。
【請求項４】
請求項１記載の方法において、
前記第１の無線装置、前記送信装置及び前記受信装置はそれぞれ、携帯電話、パーソナル・デジタル・アシスタント（ＰＤＡ）及びパーソナルコンピュータよりなるグループから選択された装置である、方法。
【請求項５】
請求項１記載の方法は更に、
前記第１の無線装置が前記受信装置に情報を転送するようにプログラムされていることを示すポップアップメッセージを前記第１の無線装置上に表示すること、
を備える、方法。
【請求項６】
請求項１記載の方法において、
前記送信装置及び前記受信装置は、同一の１つの装置である、方法。
【請求項７】
請求項１記載の方法において、
前記情報は、通話、ＳＭＳメッセージ、ＥＭＳメッセージ、又は、ＭＭＳメッセージを含む、方法。
【請求項８】
無線装置であって、
プロセッサと、
前記プロセッサと通信可能に接続された無線通信ユニットと、
前記プロセッサと通信可能に接続されたコンピュータ読み取り可能な記憶媒体と、
を備え、
前記プロセッサは、英数字コードと受信装置のアドレスを含むテキストメッセージとを前記通信ユニットを介して受信し、前記受信された英数字コードを前記コンピュータ読み取り可能な記憶媒体に保存された記録コードと比較し、前記受信されたコードと前記記録コードとが一致する場合に、前記通信ユニットを通じて前記受信装置のアドレスに情報を転送する、無線装置。
【請求項９】
請求項８記載の無線装置において、
前記テキストメッセージは、ＳＭＳメッセージ、ＥＭＳメッセージ及びＭＭＳメッセージよりなるグループから選択されたメッセージ形式である、無線装置。
【請求項１０】
請求項８記載の無線装置において、
前記テキストメッセージは、転送パケット（ＴＰＤＵ）の一部である、無線装置。
【請求項１１】
請求項８記載の無線装置は、携帯電話、パーソナル・デジタル・アシスタント（ＰＤＡ）及びパーソナルコンピュータよりなるグループから選択された装置である、無線装置。
【請求項１２】
請求項８記載の無線装置において、
前記プロセッサは更に、前記無線装置が前記受信装置に情報を転送するようプログラムされていることを示すポップアップメッセージを前記無線装置上に表示するように動作する、無線装置。
【請求項１３】
請求項８記載の無線装置において、
前記情報は、通話、ＳＭＳメッセージ、ＥＭＳメッセージ、又は、ＭＭＳメッセージを含む、無線装置。
【発明の詳細な説明】
【技術分野】
【０００１】
本発明は、概して携帯電話等の無線装置に関し、特には、一方の装置から他方の装置に通話やメッセージを転送するための方法及びそれに関する装置に関する。
【背景技術】
【０００２】
移動体通信用地球規模（ＧＳＭ：Global System for Mobile communications ）ネットワークは多数の携帯電話加入者を含み、世界規模のサービスエリアで高品質音声と付加的サービスを提供する。付加的サービスは、ショート・メッセージ・サービス（ＳＭＳ）、エンハンスド・メッセージ・サービス（ＥＭＳ）、マルチメディア・メッセージ・サービス（ＭＭＳ）を含む。ＳＭＳでは、最大１６０文字の長さで、英数字を組み合わせた短いメッセージを送信したり受信したりすることができる。ＳＭＳは当初、携帯電話の利用者に音声メール・メッセージがあることを通知する単純な呼び出し機構として開発された。しかしながら、ＳＭＳの利用者は、ＳＭＳを一般的なメッセージ・サービスとしてすぐさま採用し、今や多くの量のＳＭＳメッセージが世界中で日々送信されている。
【０００３】
ＥＭＳやＭＭＳは、ＳＭＳメッセージの機能を、カラー画像、音声及び映像を含む機能に拡張したものである。ＳＭＳと同様、ＥＭＳ及びＭＭＳメッセージは双方ともテキスト形式を含む。テキストメッセージは転送パケット（ＴＰＤＵ：Transport Protocol Data Unit）に変換される。ＴＰＤＵは、一般には、ヘッダ内の制御情報と、それに続く簡単なテキストメッセージを含むユーザ・データとを含む１６進表記の文字列である。ＴＰＤＵは、サービス・センタ・アドレス（ＳＣＡ）に送信された後、他の携帯電話等の宛先装置に送られる。
【０００４】
ＴＰＤＵでのメッセージの配信は、各メッセージが受信側の装置に自動的に送られるという理由で、保証される。利用者は、メッセージの受信のためにネットワークにアクセスする必要はない。又、メッセージが受信側の装置で受信されたかどうかを確認する送信ＳＣＡに対して、受信通知が自動的に返信される。受信側の携帯電話や装置が切断されたり、サービスエリアから外れた場合はメッセージはネットワークに保持され、その装置がネットワークに再接続されると、直ちにそのメッセージが配信される。
【０００５】
従って、ＳＭＳメッセージは、その簡素性及び信頼性により、呼び出し機構として使用するのみに限らず、多くの付加的な用途に用いられている。例えば家庭用温度自動調節器などの外部機器を、コード化されたＳＭＳメッセージにより制御することが提案されている。利用者は、温度自動調節器に接続された家庭用コンピュータに対して、ＳＭＳメッセージ内に組み込まれた制御要求を送信することが可能である。コンピュータは、その制御要求を解釈して、温度自動調節器の温度を上下に調節する。
【発明の開示】
【発明が解決しようとする課題】
【０００６】
しかしながら、ＳＭＳ、ＥＭＳ、ＭＭＳ及び他の関連するメッセージサービスにおける更なる付加的な用途を広げる必要性がある。特に、本発明の主題は、利用者から物理的に遠隔にある無線装置の通話転送制御及びメッセージ転送制御の改善の必要性に着眼する。個々の無線装置が別の宛先に対して通話やメッセージを転送するようにプログラムすることは可能であるが、利用者が物理的にその装置に接触することができない場合、現在では、そのような通話転送を制御する方法が利用可能ではない。例えば利用者が誤って自宅に第１の携帯電話を置き忘れた場合、利用者は、第１の電話が受信した全ての通話やメッセージが第１の電話から第２の携帯電話に転送されるように、第２の電話を用いて遠隔地から第１の電話を再プログラム可能となることを望んでいる。
【０００７】
本発明は、通話やテキストメッセージなどの情報が受信装置に転送されるように、携帯電話などの第１の無線装置をプログラムするための方法及びそれに関連する装置を提供する。
【課題を解決するための手段】
【０００８】
本方法によれば、英数字コードが第１の無線装置に組み込まれる。次いで、利用者は、他の携帯電話やパーソナルコンピュータ等の送信装置を用いてテキストメッセージを作成する。前記英数字コード及び受信装置のアドレスは前記テキストメッセージに組み込まれる。次いで、前記テキストメッセージが、前記送信装置から前記第１の無線装置に送信される。前記第１の無線装置は前記英数字コードを認識し、その結果として、通話やテキストメッセージなどの情報を前記受信装置のアドレスに転送するように自身を再プログラムする。
【０００９】
本関連する装置は、プロセッサと、前記プロセッサと通信可能に接続された無線通信ユニットと、前記プロセッサと通信可能に接続されたコンピュータ読み取り可能な記憶媒体とを含む。前記プロセッサは、英数字コードと受信装置のアドレスを含むテキストメッセージとを前記通信ユニットを介して受信するように動作する。前記プロセッサは、前記受信された英数字コードを前記コンピュータ読み取り可能な記憶媒体に保存された記録コードと比較する。前記受信されたコードと前記記録コードとが一致する場合に、前記プロセッサは、前記通信ユニットを介して前記受信装置のアドレスに情報を転送する。
【００１０】
本発明の他の側面は、図面を考慮して、後述する詳細な説明により明らかになる。全図において同様な参照符号は、同様な又は類似する要素やステップを意味する。
【発明を実施するための最良の形態】
【００１１】
図１を参照すると、プロセッサ３と通信可能に接続された無線通信ユニット２を備える携帯電話１の構成が示されている。又、画面５及びキーパッド６の形態を有する入力インターフェースがプロセッサ３に接続されている。
【００１２】
プロセッサ３は、携帯電話１が送信又は受信する音声やその他の信号を符号化及び復号化するためのデータを記憶する、関連する読み出し専用メモリ（ＲＯＭ）１２とともに、符号器／復号器１１を含む。又、プロセッサ３は、一般的なデータ・アドレスバス１７を介して符号器／復号器１１及び関連するキャラクタ読み出し専用メモリ（ＲＯＭ）１４に接続されたマイクロプロセッサ１３と、ランダム・アクセス・メモリ（ＲＡＭ）４と、スタティック・プログラマブル・メモリ１６と、取り外し可能なＳＩＭモジュール１８とを含む。中でも、スタティック・プログラマブル・メモリ１６及びＳＩＭモジュール１８にはそれぞれ、選択された着信テキストメッセージや、電話帳データベースＴＤｂが格納される。本明細書及び関連する特許請求の範囲によれば、読み出し専用メモリ（ＲＯＭ）１４、ランダム・アクセス・メモリ（ＲＡＭ）４、スタティック・プログラマブル・メモリ１６及び取り外し可能なＳＩＭモジュール１８は全て、コンピュータ読み取り可能な記憶媒体とみなされる。
【００１３】
マイクロプロセッサ１３は、キーパッド６、画面５及び警報モジュール１５に接続するポートを有する。警報モジュール１５は、通常、スピーカ、振動モータ及び関連する駆動回路を含む。キャラクタ読み出し専用メモリ１４には、通信ユニット２が受信したテキストメッセージやキーパッド６に入力されたテキストメッセージを復号化もしくは符号化するためのコードが記憶される。本実施形態においては、キャラクタ読み出し専用メモリ１４には更に、マイクロプロセッサ１３用の動作コード（ＯＣ：Operating Code）と、図２〜図４に関する下記の本発明の方法を実施するためのコードとが記憶される。
【００１４】
無線通信ユニット２は、一般的なアンテナ７を有する一体型の送信機及び受信機である。通信ユニット２は、無線増幅器９を介してアンテナ７に接続された送受信機８を有する。又、送受信機８は、通信ユニット２をプロセッサ３に接続する一体型の変調器／復調器１０に接続されている。
【００１５】
図２のネットワークの概略図及び図３の一般化されたフローチャートの双方を参照すると、本発明の一実施形態では、第１の無線装置２０が一以上の受信装置２１に情報を転送するようプログラムするために、上述した携帯電話１の構成が用いられる。英数字コードは、（図３のフローチャートのステップＳ３１０で表されるように）第１の無線装置２０に組み込まれる。次いで、特定のテキストメッセージ２３が送信装置２２を用いて作成される（ステップＳ３２０）。英数字コードと受信装置２１のアドレスは特定のテキストメッセージ２３に組み込まれる（ステップＳ３３０）。次いで、特定のテキストメッセージ２３が、送信装置２２から第１の無線装置２０に送信される（ステップＳ３４０）。第１の無線装置２０は、特定のテキストメッセージ２３内に組み込まれた英数字コードを認識した後、受信装置２１のアドレスに情報を転送するように、自身（第１の無線装置２０）を再プログラムする（ステップＳ３５０）。
【００１６】
特定のテキストメッセージ２３の全般的な用途は、第１の無線装置２０による通話転送及び／又はメッセージ転送を制御することにある。従って、第１の無線装置２０は、携帯電話、パーソナル・デジタル・アシスタント（ＰＤＡ）、ラップトップ・コンピュータ、及びその他の同様な装置などの、種々の無線装置のうちのいずれか１つとすることができる。同様に、送信装置２２及び受信装置２１は、それぞれテキストメッセージを送信する機能及び受信する機能を有するそれぞれ種々の形式の装置のうちのいずれか１つとすることができる。尚、その装置には、上述した無線装置の他、さらには標準的な電話やパーソナルコンピュータなどのような種々の無線装置のいずれか１つも含まれる。
【００１７】
又、種々の形式の情報が、第１の無線装置２０から受信装置２１に転送される。そのような情報は、音声電話、ＳＭＳメッセージ、ＥＭＳメッセージ、ＭＭＳメッセージ及びその他の形式のデータを含み得る。
【００１８】
送信装置２２は、特定のテキストメッセージ２３を、ネットワーク２４を介して、又は直接的に第１の無線装置２０に送信し得る。第１の無線装置２０が特定のテキストメッセージ２３を受信しかつ処理した後、第１の無線装置２０はその特定のテキストメッセージ２３から特定される新規の宛先アドレスに対して、ネットワーク２４を介して通話及び／又はメッセージを転送し得る。多数の受信装置２１に対して情報を転送可能とするように、特定のテキストメッセージ２３には、多数のアドレスが含まれ得る。又、言うまでもなく、図２に波線２６で示されるように、送信装置２２及び受信装置２１は１つ、即ち同一装置であってもよい。
【００１９】
又、任意に、第１の無線装置２０が付加的な機能、例えば、表示画面上にポップアップメッセージ２５を表示する、或いは可聴アラームなどの他の表示を生じさせる、といった機能を実行可能としてもよい（ステップＳ３６０）。ポップアップメッセージ２５やその他の表示は、第１の無線装置２０の後続の利用者に、同装置２０の通話転送機能及び／又はメッセージ転送機能が選択状態にあることを通知したり、その機能を非選択状態にしようとする後続の利用者に注意を喚起したりするのに利用され得る。
【００２０】
その他の付加的な機能は、予め設定された時間に情報転送機能を自動的に終了させることや、他の予め設定された時間に受信装置２１のアドレスを新規の受信装置２１の新規のアドレスに自動的に変更することを含み得る。予め設定された時間及び付加的なアドレスは、送信装置２２の利用者がプログラム可能であり、又、特定のテキストメッセージ２３の本文中に組み込むことも可能である。
【００２１】
図４は、本発明の一実施形態による特定のテキストメッセージ２３の代表形態の概略的な図である。メッセージ形態は、その特定のテキストメッセージ２３の先頭を識別するために用いられる初期設定フラグ２７から始まる。初期設定フラグ２７は、第１の無線装置２０に予めプログラムされるある特定のバイトとすることができ、これはある特定の通話及びメッセージの転送情報が初期設定フラグ２７のすぐ後に続いて存在することを示す。コマンドＩＤ２８は、例えばある特定のバイト数で構成され、これは第１の無線装置２０の通話転送をオンさせるかオフさせるか、及び、第１の無線装置２０のメッセージ転送をオンさせるかオフさせるかを示す。尚、画面にポップアップメッセージ２５を表示させるか否かといったその他の動作のために、コマンドＩＤ２８の付加的なバイトが確保されてもよい。特定のテキストメッセージ２３内における後続のバイトには、認定された利用者のみが情報転送機能を選択又は非選択できるように、より高いシステムの安全性を確保するために用いられる暗証番号（ＰＩＮ：Personal Identification Number）２９が含まれ得る。このＰＩＮ２９に続いて、特定のテキストメッセージ２３内における後続のバイトには、全ての通話及びメッセージを転送する特定の携帯アドレスなどの動作データ３０が含まれ得る。尚、転送機能の自動終了、或いは、付加的な受信装置２１のアドレス、といった付加的な機能に関する情報も、この動作データ３０内に含まれ得る。最後に、特定のテキストメッセージ２３は、第１の無線装置２０によって受信された他の後続のデータが同メッセージ２３を構成するものではないことを示す終了フラグ３１によって終了する。
【００２２】
上述したような特定のテキストメッセージ２３の一形態は、単に、本発明による特定のテキストメッセージ２３の一候補の形態の例にすぎず、その他の形態も用い得ることが理解され得る。
【００２３】
特定のテキストメッセージ２３は、ＳＭＳ、ＥＭＳ或いはＭＭＳメッセージとして送信される。この特定のテキストメッセージ２３は、転送パケット（ＴＰＤＵ）の一部を形成し得る。従って、一般的には、この特定のテキストメッセージ２３は、ユーザ・データ・ヘッダ（ＴＰ−ＵＤＨ）に続く、ＴＰＤＵのユーザ・データ（ＴＰ−ＵＤ）の一部を形成する。
【００２４】
本発明の方法及び装置は、送信装置２２を用いて第１の無線装置２０をプログラムする新規な技術に関する。送信装置２２は、通常、第１の無線装置２０の位置から遠隔地にあり、第１の無線装置２０は、電話の呼び出し（通話）やメッセージなどの情報を一以上の受信装置２１に転送する。無線装置が通話やメッセージを転送するようにプログラムする従来技術の方法はあるが、これらの従来技術の方法は、転送元デバイスから通話やメッセージが転送されるように同転送元デバイスに物理的に接触することを必要とする。本発明の方法及び装置は、転送装置に物理的に接触することを必要としない。従って、例えば、携帯電話の利用者が自分の携帯電話を職場に持っていくのを忘れた場合や自宅にその電話を置き忘れた場合には、本発明によれば、その利用者は簡単なテキストメッセージをその携帯電話に送ることにより、全ての通話やメッセージがその職場に転送されるように、その携帯電話をプログラムすることができる。
【００２５】
本発明の代表形態について添付の図面に示し上記のように説明したが、本発明は本実施形態の記述に限定されるものではなく、寧ろ本発明は種々の方法に変形可能であることが理解され得る。それ故、本発明は添付の特許請求の範囲によってのみ限定されるものであると理解され得る。
【図面の簡単な説明】
【００２６】
【図１】携帯電話の構成を示す概略的な図である。
【図２】本発明の方法を用いるネットワークの概略的な図である。
【図３】本発明の方法を示す一般化されたフローチャートである。
【図４】本発明の一実施形態による、情報転送する無線装置を再プログラムするために用いられる特定のテキストメッセージの代表形態の概略的な図である。
【図１】
2007507917.tif 000003
【図２】
2007507917.tif 000004
【図３】
2007507917.tif 000005
【図４】
2007507917.tif 000006
【国際調査報告】
2007507917.tif 000007